(57)【要約】【課題】流量と圧力が大きく変化する状況でも損失が少ない回転装置を提供し、また、その回転装置を用いることで人間の日常生活の何気ない動作の中で意識的な作業なしに発電可能な発電装置を提供すること。【解決手段】ケーシング２１の内部にローター２２を配置し、ローター２２に複数のベーンを取り付ける。ベーンは同じ直径上のもう１つのベーンと棒などで繋がれていて、回転中も２つのベーンの距離が変わらないように連動して直径上をスライドする。ケーシング内壁の形状は、連動してスライドする２つのベーンの両方の先端が常に内壁に接触する形状とする。このベーンと内壁形状によって吸入口２５から入る流体と排出口２６から出る流体との間が隔絶され、吸入口側と排出口側との圧力差をベーンに与えることでローターを回転させて回転エネルギーを得る。【選択図】        図２
2008169807.tif 000002
【特許請求の範囲】
【請求項１】
流体の吸入口と排出口とを有する外筒部材と、
前記外筒部材内部に設けられた回転自在のローターと、
前記ローターに対して突没自在に設けられた複数のベーンと、
を備え、前記ベーンの先端が前記外筒部材の内壁に接して前記吸入口側と前記排出口側とを隔絶し、前記吸入側と前記排出側との流体の圧力差をベーンに受けて前記ローターの回転に変換する回転装置であって、
前記ベーンは、ローター回転中心を通る同一直線上で該中心を挟んで対向する位置に設置された２つのベーンが連動して同一方向にスライドすることが可能であり、
前記外筒部材の内壁の形状は、前記ローターが回転したときに、常にベーンの先端が前記外筒部材の内壁に接する形状であることを特徴とする回転装置。
【請求項２】
前記外筒部材の内壁は蝸牛線の数式で示される形状であることを特徴とする請求項１に記載の回転装置。
【請求項３】
前記ローター回転中心を通る同一直線上で該中心を挟んで対向するベーンの対は、少なくとも一部に弾性部を有する連結部材によって接続されることにより連動してスライドし、かつ前記ベーンの先端は前記弾性部の弾性力によって前記内壁に押し当てられることを特徴とする請求項１または２に記載の回転装置。
【請求項４】
請求項１〜３のいずれか一つに記載された回転装置を備え、前記ローターの回転を用いて発電する発電手段をさらに備えたことを特徴とする発電装置。
【請求項５】
外部からの加重によって内容積が変化する２以上の流体用タンクと、
前記内容積の変化に基づき前記２以上の流体用タンクの間で流体を流動させる流動経路と、をさらに備え、
前記流動経路上に前記外筒部材を設けたことを特徴とする請求項４に記載の発電装置。
【請求項６】
前記流動経路を複数備え、かつ前記複数の流動経路が逆流防止弁を有するパイプであることにより、前記流体用タンクのいずれに圧力をかけた場合にも、流動する流体は前記ローターを同一方向に回転させることを特徴とする請求項５に記載の発電装置。
【請求項７】
利用者の動作に伴って前記流体用タンクに対する加重が変化するように前記利用者の体に装着するための装着手段をさらに備え、前記利用者の行動によって発電することを特徴とする請求項５または６に記載の発電装置。
【請求項８】
前記装着手段は靴であり、前記利用者の足の爪先近傍に体重がかかる状態と踵近傍に体重がかかる状態とで異なる流体用タンクに加重が加わることを特徴とする請求項７に記載の発電装置。
【発明の詳細な説明】
【技術分野】
【０００１】
この発明は、水や空気など流体の持つエネルギーを回転エネルギーに変換するための回転装置、および回転装置を用いて歩行などの日常動作から携帯機器に電力を供給する発電装置に関するものである。
【背景技術】
【０００２】
近年、携帯機器に搭載される機能が増加しその使用時間が伸びていることから、携帯電話や、音楽プレーヤーなどの電源が外出時に切れてしまうことがある。この問題を解決するには、機器に搭載される電池の容量が十分に大きいこと、もしくは外出時にもどこでも充電が出来ること、もしくは発電によって電力を得ることが必要である。
【０００３】
しかし、現在の電池技術では電池の容量を大きくしようとすると、電池の大きさと重さが増えてしまい、携帯性が悪くなる。また外出時にどこでも充電ができるようなシステムは今のところない。また、手回し充電器など、携帯性の発電機は存在するが、十分な発電量を得るには、意識的に力を入れて充電しなければならず疲れるという問題がある。
【０００４】
そこで、意識せずに発電を行うものとして、歩行発電が考案されている。例えば、特許文献１は、踵などの靴内部の稼動部分に圧電素子を配置し、歩行による応力により圧電素子にひずみを発生させ電力を得る方法を開示しており、特許文献２は、歩行運動により靴内部に取り付けられた磁石とコイルとの距離を変化させて電磁誘導により電力を得る方法を開示している。
【０００５】
また、歩行運動により、靴内部のハンドルを体重により押し込み、その仕事によって発電機を回転させて電力を得る方法や、靴内部にポンプを配置し、歩行による圧力によって外部から空気を取り込み、タービンを回して発電機を回転させることで電力を得る方法なども考案されている。
【０００６】
【特許文献１】特開２００４−９６９８０号公報
【特許文献２】特許第２８７０３３０号公報
【発明の開示】
【発明が解決しようとする課題】
【０００７】
しかしながら、上述した従来の技術はその実用性に問題があった。例えば、圧電素子を用いる方法は、歩行時の違和感がほとんどないことが利点であるが、現状の技術では、靴底に入る大きさで出力はせいぜい数十ｍＷである。例えば携帯電話などの通信機器の消費電力は１Ｗ以上であるが、１Ｗ以上を出力できるような材料は実用的なものはまだない。
【０００８】
また、電磁誘導を用いる方法については、電磁誘導の起電圧は磁石とコイルの距離の変化の微分に比例するが、通常の歩行速度では１Ｗ以上の出力は期待できない。
【０００９】
ハンドルを体重で押し込む方法は１Ｗ以上の出力を期待できるが、効率をあげるためには増速機構が必要である。そのため、従来の方法ではギアを用いているが、ギアから稼動時に騒音が発生するので、歩いているときに常に足元から音がすることとなり、利用者に不快感を与える。
【００１０】
また、外部から取り込んだ空気圧でタービンを回す方法は、１Ｗ以上の出力を期待でき、増速機構として気体の圧力変化を利用するので騒音も無い。しかし、靴底近くの空気は地面に近いため、塵や、雨水などをとりこみやすい。そのため、タービンなどの稼動部分が磨耗もしくは劣化しやすくなる。また、タービンは、プロペラ型、フランシス型、ペルトン型、ターボ型など、様々な形式があるが、一般的に発電に用いられるものはどれも流体に対して安定した流量と圧力が求められ、定格回転数から外れると効率が悪くなってしまう。特に定格よりも回転数が下回ったときには著しく効率は低下する。歩行時には、足は地面に着いたり離れたりを繰り返すので、歩行によって得られる圧力は大きく変動し、一般的なタービンを用いたのでは極めて非効率であり、靴底という限られた体積の中では、１Ｗ以上の大出力は望めなかった。
【００１１】
以上のように、現状において無意識に発電をする技術は、得られる電力が小さい、利用者に不快感を与える、壊れやすい、エネルギーロスを生じるなどの問題点を有しており、どれも実用的ではなかった。
【００１２】
本発明は、上述した従来技術における問題点を解消し、課題を解決するためになされたものであり、流量と圧力が大きく変化する状況でも損失が少ないタービン、すなわち回転装置を提供し、その回転装置を用いて発電をすることによって、人間の日常生活の何気ない動作の中で意識的な作業なしに携帯電気機器を充電し、携帯電気機器の電池切れを予防することのできる、実用的な発電装置を提供することを目的とする。
【課題を解決するための手段】
【００１３】
上述した課題を解決し、目的を達成するため、請求項１の発明に係る回転装置は、流体の吸入口と排出口とを有する外筒部材と、前記外筒部材内部に設けられた回転自在のローターと、前記ローターに対して突没自在に設けられた複数のベーンと、を備え、前記ベーンの先端が前記外筒部材の内壁に接して前記吸入口側と前記排出口側とを隔絶し、前記吸入側と前記排出側との流体の圧力差をベーンに受けて前記ローターの回転に変換する回転装置であって、前記ベーンは、ローター回転中心を通る同一直線上で該中心を挟んで対向する位置に設置された２つのベーンが連動して同一方向にスライドすることが可能であり、前記外筒部材の内壁の形状は、前記ローターが回転したときに、常にベーンの先端が前記外筒部材の内壁に接する形状であることを特徴とする。
【００１４】
また、請求項２の発明に係る回転装置は、請求項１に記載の発明において、前記外筒部材の内壁は蝸牛線の数式で示される形状であることを特徴とする。
【００１５】
また、請求項３の発明に係る回転装置は、請求項１または２に記載の発明において前記ローター回転中心を通る同一直線上で該中心を挟んで対向するベーンの対は、少なくとも一部に弾性部を有する連結部材によって接続されることにより連動してスライドし、かつ前記ベーンの先端は前記弾性部の弾性力によって前記内壁に押し当てられることを特徴とする。
【００１６】
また、請求項４の発明にかかる発電装置は、請求項１〜３のいずれか一つに記載された回転装置を備え、前記ローターの回転を用いて発電する発電手段をさらに備えたことを特徴とする。
【００１７】
また、請求項５の発明に係る発電装置は、請求項４に記載の発明において、外部からの加重によって内容積が変化する２以上の流体用タンクと、前記内容積の変化に基づき前記２以上の流体用タンクの間で流体を流動させる流動経路と、をさらに備え、前記流動経路上に前記外筒部材を設けたことを特徴とする。
【００１８】
また、請求項６の発明に係る発電装置は、請求項５に記載の発明において、前記流動経路を複数備え、かつ前記複数の流動経路が逆流防止弁を有するパイプであることにより、前記流体用タンクのいずれに圧力をかけた場合にも、流動する流体は前記ローターを同一方向に回転させることを特徴とする。
【００１９】
また、請求項７の発明に係る発電装置は、請求項５または６に記載の発明において、利用者の動作に伴って前記流体用タンクに対する加重が変化するように前記利用者の体に装着するための装着手段をさらに備え、前記利用者の行動によって発電することを特徴とする。
【００２０】
また、請求項８の発明に係る発電装置は、請求項７に記載の発明において、前記装着手段は靴であり、前記利用者の足の爪先近傍に体重がかかる状態と踵近傍に体重がかかる状態とで異なる流体用タンクに加重が加わることを特徴とする。
【発明の効果】
【００２１】
請求項１の発明によれば回転装置は、流体の吸入口と排出口とを有する外筒部材内部にローターを設け、ローターに対して突没自在のベーンが吸入側と排出側との流体の圧力差を受けてローターを回転させる回転装置であって、前記ベーンは、ローター回転中心を通る同一直線上で該中心を挟んで対向する位置に設置された２つのベーンが連動して同一方向にスライドすることが可能であり、前記外筒部材の内壁の形状は、前記ローターが回転したときに、常にベーンの先端が前記外筒部材の内壁に接する形状であるので、ベーンの先端は力によって押し付けられることなしに前記外筒部材と接する状態で回転をし、ベーンと外筒部材の内壁との間の摩擦が少なくなり、流体エネルギーから回転エネルギーへの変換効率が向上するという効果を奏する。
【００２２】
また、請求項２の発明によれば回転装置は、前記外筒部材の内壁は蝸牛線の数式で示される形状であることによって、設計と加工が容易になり、寸法・形状の精度をあげやすくなる。それによって、ベーンと内壁との摩擦および流体の隙間からの漏れが少なくなり、流体エネルギーから回転エネルギーへの変換効率が向上するという効果を奏する。
【００２３】
また、請求項３の発明によれば回転装置は、ローター回転中心を通る同一直線上で該中心を挟んで対向するベーンの対は、少なくとも一部にバネやゴムなどの弾性部を有する連結部材によって接続されることにより連動してスライドし、かつ前記ベーンの先端は前記弾性部の弾性力によって前記内壁に押し当てられるので、ベーンの先端が摩擦によってある程度磨り減ったときにベーンの先端と内壁との間に隙間ができてしまうことを防ぎ、回転装置の寿命を延ばすことができる。また同時に寸法・形状の精度が悪かった場合できる隙間も防ぐことができるという効果を奏する。
【００２４】
また、請求項４の発明によれば発電装置は、請求項１〜３のいずれか一つに記載の回転装置に発電する手段を付け加えることによって、流量と圧力が大きく変動する状況でも効率よく発電することができるという効果を奏する。
【００２５】
また、請求項５の発明によれば発電装置は、外部からの加重によって内容積が変化する２以上の流体用タンクと、前記内容積の変化に基づき前記２以上の流体用タンクの間で流体を流動させる流動経路と、をさらに備え、前記流動経路上に前記外筒部材を設けたことによって、圧力もしくは加重が変化する場所が２箇所以上あれば、圧力と流量が大きく変化する状況でも効率よく発電することができるという効果を奏する。
【００２６】
また、請求項６の発明に係る発電装置は、常に同一方向に回転装置か回転することによって、回転装置が惰性によって回るのを止めることなく回転力を供給することができ、発電効率が向上するという効果を奏する。
【００２７】
また、請求項７の発明に係る発電装置は、利用者の動作に伴って前記流体用タンクに対する加重が変化するように前記利用者の体に装着するための装着手段をさらに備え、利用者の行動によって発電することによって、利用者の動作によって流体を流動させ、流動の圧力と運動量を効率的に利用して発電するので、人間の日常生活の何気ない動作の中で意識的な作業なしに効率的に発電することができるという効果を奏する。
【００２８】
また、請求項８の発明に係る発電装置は、利用者の体重移動によって流体を流動させ、流動の圧力と運動量を効率的に利用して発電するので、歩行や走行などの日常動作で、効率的に発電することができるという効果を奏する。
【発明を実施するための最良の形態】
【００２９】
以下に添付図面を参照して、この発明に係る回転装置および発電装置の好適な実施例について詳細に説明する。
【実施例】
【００３０】
まず、図１に本発明の前提となる回転装置の概要構成を示す。同図には、回転装置であるタービン１の上面図と、Ａ−Ａ線断面図を示している。タービン１は、内壁が円形のケーシング（外筒）１１の中にローター１２が偏心されて配置されている。ローター１２には複数のベーン（同図ではベーン１３ａ，１３ｂ，１３ｃ，１３ｄ，１３ｅ，１３ｆの６つ）が収納されていて、各ベーンはバネによって押されて常にケーシング１１の内壁と接触している。バネは、ベーンに対してそれぞれ設け、例えばベーン１３ｄにはバネ１４ｄを対応させる。
【００３１】
吸入口１５の部分の流体と排出口１６の部分の流体に圧力差が発生すると、各ベーンに断面積×圧力の力がかかり、その力がローター１２の回転力となる。例えば、吸入口１５の圧力が高くなった時、各ベーンに圧力がかかるが、ローターはケーシングに対して中心が偏心の位置にあるため、ローターから突出している長さがそれぞれ異なり、力を受ける断面積も異なる。ローターは各ベーンにかかる力の回転方向成分の総和によって回転するため、結果として図では時計回りに回りだす。
【００３２】
ここで、図１に示したタービンではバネによってベーンをケーシングに押し付けているため、バネが縮んでいる部分では、ベーンとケーシングとの間に大きな摩擦が生まれてしまう。また、バネを伸び縮みさせるためのエネルギーも損失になってしまうという問題がある。
【００３３】
そこで、本発明では、回転中心に対して対向するベーンを対とし、対のベーンの長さの和が一定となるようにすることで、バネやゴムなどの弾性力によるベーン伸縮をおこなうことなく流体の圧力差を回転エネルギーに変換し、上記の損失を低減する。
【００３４】
図２は、本発明に係る回転装置の一例であるタービン２の概要構成を示す概要構成図であり、上面図とＢ−Ｂ線断面図を示している。同図に示したタービン２は、ケーシング２１の中にローター２２が配置されている。ローター２２には複数のベーン（同図ではベーン２３ａ，２３ｂ，２３ｃ，２３ｄの４つ）が取り付けられている。ベーンは同じ直径上のもう１つのベーンと棒などで繋がれていて、回転中も２つのベーンの距離が変わらないように（すなわち、対となるベーンの先端同士の距離、同図ではベーン２３ａの先端からベーン２３ｃの先端までの距離と、ベーン２３ｂの先端からベーン２３ｄの先端までの距離とが常に一定値となるように）連動して直径上をスライドする。
【００３５】
ケーシング２１は、ベーンがローター２２の軸２４を中心に動くときに、常にベーンの両端がケーシング２１の内壁に接するように設計された形状である。吸入口２５の部分の流体と排出口２６の部分の流体に圧力差が発生すると、各ベーンに断面積×圧力の力がかかる。その力がローター２２の回転力となる。例えば、吸入口２５の圧力が高くなった時、各ベーンに圧力がかかるが、ローターから突出している長さがそれぞれ異なるため、力を受ける断面積も異なる。
【００３６】
ローターは各ベーンにかかる力の回転方向成分の総和によって回転するため、結果として図では時計回りに回りだす。回転中、ベーンはローターの直径上をスライドするため、ケーシングの内壁に押し付けられることなく、流体の高圧側と低圧側を隔絶しつつも摩擦は少ない。
【００３７】
ケーシングの形状は、任意に決定してもいいが、数式で記述できる形式とすると有利である。例えばｒ＝ａｃｏｓ（θ）＋ｂで表される蝸牛線（ｂ＞ａ）などのように数式化できる形状（図３）にすればＣＡＤによる設計・加工を容易に行なうことができ、また寸法・形状の精度もあげやすくなり、ベーンとケーシングとの間の摩擦や、隙間からの流体の漏れを減らすことが出来、摩擦損失や圧力損失を減らすことが出来る。
【００３８】
また、図４のようにベーンを連結する棒の中間にバネ２７を設けることにより、寸法・形状の精度が甘かった場合や、ベーンの先端が内壁との摩擦によって磨り減ってしまった場合でも確実にベーンの先端を内壁に接触させることが出来る。なお、ここではバネ２７を用いているが、ゴムなどの任意の弾性部材を採用して本機構を構成することが出来る。また、弾性部材によって生じるベーン先端のケーシング内壁に対する押圧は、図１に示したようにベーンを突没させるために弾性部材を使用した場合に生じる押圧に比して非常に小さいので、押圧による摩擦損失を抑えるという本発明の効果を阻害することはない。
【００３９】
上述してきたタービンは、軸をケーシングの外部へ漏れのないシーリング、例えばＯリングによって引き出し、発電機へとつなぐことにより発電をすることができる。
【００４０】
流体としては水でも油でも空気でも良く、圧力差さえあれば発電することができる。また、流体を閉じ込めた２つ以上のタンクとパイプを使いタービンに流体を供給することで、圧力差や加重が交互に変化する状況さえあれば発電することができるようになる。
【００４１】
図５は、本発明にかかる発電装置の一例である。２つのタンク３１，３２がパイプ３３によってつながっていて、その中間にタービン３４がある。タンク１とタンク２に交互に圧力が加わると、パイプ３３内を流体が移動する。この移動系路上に回転装置であるタービン３４を設け、タービン３４と発電機３６を軸３５で接続することで、発電機を動作させて発電を行なうことができる。
【００４２】
このとき、タービンの軸３５は直接発電機に接続しても良いし、タービンの回転数と、発電機が最大出力を出せる回転数に差があれば、間にギアやプーリーを用いて回転数を変換して繋いでもよい。
【００４３】
発電機３６で発生した電力は、充電回路３７を通して、蓄電素子３８へ送られて蓄えられる。充電回路３７は、発電機３６と蓄電素子３８の間にあり、発電機３６で発生する交流電流を整流する機能と蓄電素子３８の電圧を調整する機能を有する。
【００４４】
なお、ここでは発生した電力をいったん蓄電素子３８に蓄積する場合の構成を例に説明を行なっているが、例えば発電機３６で発生した電力を直接外部に出力する構成にすることもできる。
【００４５】
図５に示す構成では、タンク３１，３２を交互に押したとき、タービン３４に流れる流体の向きは逆になる。すなわち、タービンは時計回りと反時計回りとを交互に繰り返すことになる。これは回転しているタービンを一旦止めて逆に回転させるということを繰り返すため、タービンの回転を止めるための損失と大きな静止摩擦による損失が生まれてしまう。
【００４６】
そこで、タービンの回転を一方向のみにすることで、タービンの回転を止めない構造例について、図６を用いて説明する。同図に示すように、タンク４１，４２はパイプ４３，４４によって繋がれている。さらにパイプ４５がパイプ４３，４４と接続し、逆止弁４６，４７，４８，４９により、パイプ４３には常に一方向にしか流体は流れない。
【００４７】
例えば、タンク４１に圧力をかけたときは、逆止弁４７，４８が閉じて逆止弁４６からパイプ４５を通り逆止弁４９へ液体が流れる。同様に、タンク２に圧力を掛けた場合には、逆止弁４６，４９が閉じて逆止弁４７からパイプ４５を通り逆止弁４８へ液体が流れる。パイプ４５の途中にあるタービン５０は、パイプ４５に流れる液体の圧力と運動量によって回転する。
【００４８】
これにより２つのタンクに交互に圧力がかかるとき、タービンには同じ向きに連続して流体が流れ込み、タービンは同一方向に回転を続けることができ、回転数が落ちることはない。そして、この回転が発電機５１に伝えられ、充電回路５２を通して充電素子５３に電力が蓄えられる。
【００４９】
この発電装置を使う場所は、圧力差を交互に作ることができるところならどこでもよいが、例えば図７に示すように靴の中の圧力がかかる点、例えば、踵と足の指の付け根の部分の下にタンクを配置し、歩行時に伴う重心の変化を利用して発電を行なうことも可能である。
【００５０】
図８は、実際に図１に示すタービンと図７に示す構成で実験を行なった結果である。体重７０ｋｇの人間が乗り、前後のタンクで交互に圧力をかけた結果、瞬間で８２０ｍＷ、平均で３５０ｍＷ程度の電力を得ることができた。
【００５１】
上述してきたように、本発明にかかる回転装置は、ベーンがケーシングの内壁に接しながら回ることにより、吸入側と排出側とが繋がることなく完全に隔てられている。これにより、流量や圧力が少なく、極低回転でも流体がタービンの隙間を流れてしまうことがなく、流体のもつ圧力が静止摩擦を上回れば、確実にタービンを回転させることができる。
【００５２】
そのため、安定した流速、流量が得られないために利用することができなかった様々なエネルギーを利用できるようになる。それは例えば、人の運動などに起因する力である。
【００５３】
また、本発明に係る発電装置は、体に装着することで日常生活の中の、例えば歩行など、圧力をかける動作により効率よく電力を得ることができる。
【００５４】
また、二つのタンクの中に閉じ込めた流体によってタービンを回すことにより、内部に地理などの不純物が入り、タービンやタンクなどが劣化することを防ぐことができる。この流体は、タービンを回しやすい最適な材料の流体を用いることが出来、タービンの効率を上げることができる。
【００５５】
さらに、流体の入った柔らかいタンクは、歩行、走行時の足への衝撃を吸収する役割も果たすため、靴本来の足を保護する機能を失うこともない。
【００５６】
本発明により、既存の携帯機器の電池切れを予防できる。また、これまでその消費電力の高さのため、実用的ではなかった様々な携帯機器も本発明と組み合わせることにより実用的に使用することが可能になる可能性がある。また、使用者は発電装置を使用することで、ＣＯ２を排出することにより生成させる商用電力、もしくは乾電池などを使用しないことによる、電気代、乾電池代の削減と、環境への貢献が出来る。また、電力を得るために積極的に歩行などの運動をするようになり、健康効果も期待できる。
【００５７】
そして、本発明は、歩行時、走行時のみならず、重心を移動させるだけでも発電することができる。例えば、揺れる電車の中では立っているだけで電車のゆれによって重心がずらされ、発電することができる。
【００５８】
なお、本実施例に示した構成はあくまで一例であり、適宜変更して実施することが出来るものである。設置場所も靴の中に限らず、圧力差を生じさせる場所、例えば図９のように股関節などに設置し、股関節を曲げたり伸ばしたりする動作によって発電することも可能である。
【産業上の利用可能性】
【００５９】
以上のように、本発明に係る回転装置は、発電機の原動機として利用可能であり、特に流体の持つエネルギーの回転エネルギーへの変換に適している。また、本発明に係る発電装置は、人力による発電に有効であり、特に歩行などの日常動作による発電に適している。
【図面の簡単な説明】
【００６０】
【図１】本発明の前提となる回転装置の概要構成を示す概要構成図である。
【図２】本発明の実施例である回転装置の概要構成を示す概要構成図である。
【図３】図２に示した回転装置におけるケーシングの形状について説明する説明図である。
【図４】図２に示した回転装置に弾性部材を組み込む構成例について説明する説明図である。
【図５】本発明の実施例である発電装置について説明する説明図である。
【図６】タービンを同一方向に回転させる構成の一例について説明する説明図である。
【図７】本発明を靴に適用する例を説明する説明図である。
【図８】本発明を実施した結果を説明する説明図である。
【図９】本発明を腰に装着する場合について説明する説明図である。
【符号の説明】
【００６１】
１，２，３４，５０  タービン
１１，２１  ケーシング
１２，２２  ローター
１３ａ，１３ｂ，１３ｃ，１３ｄ，１３ｅ，１３ｆ，２３ａ，２３ｂ，２３ｃ，２３ｄ  ベーン
１４ａ，１４ｂ，１４ｃ，１４ｄ，１４ｅ，１４ｆ，２７  バネ
１５，２５  吸入口
１６，２６  排出口
２４，３５  中心軸
３１，３２，４１，４２  タンク
３３，４３，４４，４５  パイプ
３６，５１  発電機
３７，５２  発電回路
３８，５３  蓄電素子
４６，４７，４８，４９  逆止弁
【図１】
2008169807.tif 000003
【図２】
2008169807.tif 000004
【図３】
2008169807.tif 000005
【図４】
2008169807.tif 000006
【図５】
2008169807.tif 000007
【図６】
2008169807.tif 000008
【図７】
2008169807.tif 000009
【図８】
2008169807.tif 000010
【図９】
2008169807.tif 000011